(57)【要約】【課題】障子用レールと網戸用レールとの間に容易に装着可能な防虫部品およびこの防虫部品が備えられた建具を提供する。【解決手段】障子を見付け方向に案内する障子用レールと、網戸を見付け方向に案内する網戸用レールとの間に設けられ、前記障子と前記網戸との上方から室内への虫の侵入を防止するための防虫部品であって、見込み方向の長さを変更可能に係合された２つの部材と、前記２つの部材のいずれか一方に設けられ、当該２つの部材とともに、前記障子用レールと前記網戸用レールとの間にて前記障子と前記網戸との上方の空間と、外部とを遮断する遮断部材と、を備え、前記２つの部材が、前記障子用レールと前記網戸用レールとを各々押圧して、前記障子用レールと前記網戸用レールとの間に保持される。【選択図】図７
2008127955.tif 000002
【特許請求の範囲】
【請求項１】
上枠に設けられて障子を見付け方向に案内する障子用レールと、前記上枠に設けられて網戸を見付け方向に案内する網戸用レールとの間に備えられ、前記障子および前記網戸と前記上枠との間の空間であり、かつ前記障子用レールと前記網戸用レールとの間から室内への虫の侵入を防止するための防虫部品であって、
見込み方向の長さを変更可能に係合された２つの部材と、前記２つの部材のいずれか一方に設けられ、当該２つの部材とともに、
前記障子および前記網戸と前記上枠との間の空間であり、かつ前記障子用レールと前記網戸用レールとの間の空間と外部とを、遮断する遮断部材と、
を備え、
前記２つの部材が、前記障子用レールと前記網戸用レールとを各々押圧して、前記障子用レールと前記網戸用レールとの間に保持されることを特徴とする防虫部品。
【請求項２】
請求項１に記載の防虫部品であって、
前記２つの部材の間には、見込み方向に圧縮自在な弾性部材が介在されており、前記弾性部材が圧縮されて前記障子用レールと前記網戸用レールとが各々押圧されることを特徴とする防虫部品。
【請求項３】
請求項２に記載の防虫部品であって、
前記弾性部材は圧縮ばねであることを特徴とする防虫部品。
【請求項４】
請求項１に記載の防虫部品であって、
前記２つの部材のうちの一方の部材は、弾性変形可能な弾性部を有しており、前記弾性部が他方の部材に押圧されて圧縮されることにより、前記障子用レールと前記網戸用レールとが各々押圧されることを特徴とする防虫部品。
【請求項５】
請求項１に記載の防虫部品であって、
前記２つの部材のうちの一方の部材は、他方の部材に対しスライド自在に係合されており、前記一方の部材がスライドされて見込み方向の長さが変更されることにより、前記障子用レールと前記網戸用レールとが各々押圧されることを特徴とする防虫部品。
【請求項６】
請求項１乃至請求項５のいずれかに記載の防虫部品と、
前記障子と、前記網戸と、前記障子用レールおよび前記網戸用レールを有する枠体と、
を備えたことを特徴とする建具。
【発明の詳細な説明】
【技術分野】
【０００１】
本発明は、障子と網戸との上方から室内への虫の進入を防止するための防虫部品及び防虫部品を有する建具に関する。
【背景技術】
【０００２】
サッシ枠の上レールに外障子の上端を遊合させて開閉自在にするとともに、上レールの外側にガイドレールを設け、このガイドレールに網戸の上端溝を遊合させた建具は、外障子を開けた際に、網戸およびガイドレールと外障子および上レールとの間であって、網戸および外障子の上方に室内外を連通する空間が形成されてしまう。このため、網戸および外障子の上方に室内外を連通する空間を閉塞して、虫の侵入を阻止するための防虫部品が備えられている（例えば、特許文献１参照）。
【特許文献１】実開昭５４−７８３５５号公報
【発明の開示】
【発明が解決しようとする課題】
【０００３】
上記のような建具に設けられる防虫部品は、空間をほぼ隙間なく閉塞するように、網戸およびガイドレールと外障子および上レールに僅かに接触する程度に形成され、一般的に両面テープ等でサッシ枠に固定されている。しかしながら、狭いレール間にテープの粘着部が接触しないように防虫部品を取り付けることは難しい。
【０００４】
また、ガイドレールと上レールとの間に見込み方向に突起物が形成されている場合には、下方から防虫部品をガイドレールと上レール間に挿入することができないため、レールを有する枠体の端部から挿入しなければならない。このため、既設の建具に防虫部品を備えることが難しいという課題があった。
【０００５】
本発明は、かかる課題に鑑みてなされたものであり、その目的とするところは、障子用レールと網戸用レールとの間に容易に装着可能な防虫部品およびこの防虫部品が備えられた建具を提供することにある。
【課題を解決するための手段】
【０００６】
上枠に設けられて障子を見付け方向に案内する障子用レールと、前記上枠に設けられて網戸を見付け方向に案内する網戸用レールとの間に備えられ、前記障子および前記網戸と前記上枠との間の空間であり、かつ前記障子用レールと前記網戸用レールとの間から室内への虫の侵入を防止するための防虫部品であって、見込み方向の長さを変更可能に係合された２つの部材と、前記２つの部材のいずれか一方に設けられ、当該２つの部材とともに、前記障子および前記網戸と前記上枠との間の空間であり、かつ前記障子用レールと前記網戸用レールとの間の空間と外部とを、遮断する遮断部材と、を備え、前記２つの部材が、前記障子用レールと前記網戸用レールとを各々押圧して、前記障子用レールと前記網戸用レールとの間に保持されることを特徴とする防虫部品である。
【０００７】
このような防虫部品によれば、見込み方向の長さが変更可能に係合された２つの部材が障子用レールと網戸用レールとを各々押圧して、障子用レールと網戸用レールとの間に保持されるので、見込み方向の長さを短くして障子用レールと網戸用レールとの間に容易に挿入することが可能であり、また、挿入後に見込み方向の長さを長くして障子用レールと網戸用レールとを各々押圧させることが可能である。このため、防虫部品を障子用レールと網戸用レールとの間に容易に装着することが可能である。
【０００８】
また、障子用レールと網戸用レールとを各々押圧する２つの部材の一方には、２つの部材とともに、障子および網戸と上枠との間の空間であり、かつ障子用レールと網戸用レールとの間の空間と、外部とを遮断する遮断部材が備えられているので、障子および網戸と上枠との間の空間であり、かつ障子用レールと網戸用レールとの間から室内への虫の侵入を防止することが可能である。このため、障子用レールと網戸用レールとの間に容易に装着可能な防虫部品を提供することが可能である。
【０００９】
かかる防虫部品であって、前記２つの部材の間には、見込み方向に圧縮自在な弾性部材が介在されており、前記弾性部材が圧縮されて前記障子用レールと前記網戸用レールとが各々押圧されることが望ましい。  
このような防虫部品によれば、２つの部材の間に介在された弾性部材が、見込み方向に圧縮されて障子用レールと網戸用レールとが各々押圧されるので、弾性部材の反発力により防虫部品を障子用レールと網戸用レール間に保持させることが可能である。このため、弾性部材を圧縮して障子用レールと網戸用レールとの間に挿入し、挿入後に解放することにより、防虫部品を障子用レールと網戸用レール間に容易に装着することが可能である。
【００１０】
かかる防虫部品であって、前記弾性部材は圧縮ばねであることが望ましい。  
このような防虫部品によれば、２つの部材の間には圧縮ばねが介在されているので、圧縮ばねの反発力により防虫部品を障子用レールと網戸用レール間に保持させることが可能である。このため、圧縮ばねを圧縮して障子用レールと網戸用レールとの間に挿入し、挿入後に解放することにより、防虫部品を障子用レールと網戸用レール間に容易に装着することが可能である。
【００１１】
かかる防虫部品であって、前記２つの部材のうちの一方の部材は、弾性変形可能な弾性部を有しており、前記弾性部が他方の部材に押圧されて圧縮されることにより、前記障子用レールと前記網戸用レールとが各々押圧されることが望ましい。  
このような防虫部品によれば、２つの部材のうちの一方の部材が有する弾性部の反発力により防虫部品を障子用レールと網戸用レール間に保持させることが可能である。このため、弾性部を圧縮して障子用レールと網戸用レールとの間に挿入し、挿入後に解放することにより、防虫部品を障子用レールと網戸用レール間に容易に装着することが可能である。このとき、弾性部は２つの部材のうちの一方の部材に設けられているので、２つの部材とは別に弾性部材を用いないため、部品点数が少なく、簡単な構成の防虫部品を実現することが可能である。
【００１２】
かかる防虫部品であって、前記２つの部材のうちの一方の部材は、他方の部材に対しスライド自在に係合されており、前記一方の部材がスライドされて見込み方向の長さが変更されることにより、前記障子用レールと前記網戸用レールとが各々押圧されることが望ましい。  
このような防虫部品によれば、２つの部材のうちの一方の部材は、他方の部材に対しスライド自在に係合されているので、一方の部材をスライドさせて見込み方向の長さを変更し、容易に障子用レールと網戸用レールとの間に装着することが可能である。
【００１３】
また、前記防虫部品と、前記障子と、前記網戸と、前記障子用レールおよび前記網戸用レールを有する枠体と、を備えたことを特徴とする建具である。  
このような建具によれば、障子用レールと網戸用レールとの間に容易に装着可能な防虫部品を備えた建具を提供することが可能である。
【発明の効果】
【００１４】
本発明によれば、障子用レールと網戸用レールとの間に容易に装着可能な防虫部品およびこの防虫部品が備えられた建具を提供することが可能である。
【発明を実施するための最良の形態】
【００１５】
以下、本発明の実施形態に係る建具について図面を参照して説明する。以下の説明においては、建具を室外側から見たときに上下となる方向を上下方向、左右となる方向を左右方向または見付け方向、奥行き方向を見込み方向として示す。
【００１６】
＜第１実施形態＞
図１〜図５に示すように、第１形態の建具１０は、建物の開口に取り付けられる枠体５と、枠体５に設けられ見付け方向に移動自在な内障子１２及び外障子１３と、網戸２０と、網戸２０と外障子１３との上方にて室内外を連通する空間を閉塞する防虫部品３０と、を有している。
【００１７】
内障子１２及び外障子１３は、いずれも面材としてのガラス１５と、ガラス１５の左右に配置される縦框１２ａ、１３ａと、ガラス１５の上下に配置される横框１２ｂ、１３ｂと、を有している。  
枠体５は、左縦枠６、右縦枠７、上枠８、下枠９が開口に取り付けられて矩形状を成している。
【００１８】
上枠８には、内障子１２を見付け方向に案内する内障子用レール８ａと、外障子１３を見付け方向に案内する障子用レールとしての外障子用レール８ｂと、網戸２０を見付け方向に案内する網戸用レール８ｃとが、見込み方向に間隔を隔てて垂設されており、内障子用レール８ａの室内側と、網戸用レール８ｃの室外側には、カバー部８ｄ、８ｅが垂設されている。
【００１９】
内障子１２、外障子１３、および網戸２０は、いずれも落とし込みにより枠体５に取り付けられ、下枠９に設けられたレール（不図示）に支持されている。このため、内障子１２、外障子１３、および網戸２０の上方には、内障子１２、外障子１３、および網戸２０の上側の横框１２ｂ、１３ｂ、２０ｂと上枠８の内面８ｆとの間に空間が生じる。
【００２０】
そして、内障子１２または外障子１３を開放して、見付け方向において開放された側に網戸２０を配置させた場合には、外障子１３と網戸２０の上方であって、外障子用レール８ｂと網戸用レール８ｃとの間に生じた空間は室内外を連通する連通空間Ｓとなる。このため、網戸２０を閉めた状態であっても、外障子１３および網戸２０と上枠８との間の空間であって、外障子用レール８ｂと網戸用レール８ｃとの間に生じる連通空間Ｓには、外部からの虫の侵入を防止するための防虫部品３０が設けられている。また、見込み方向における網戸２０と外障子１３との間、および、外障子１３と内障子１２との間には、内障子１２、外障子１３、および網戸２０の各縦框１２ａ、１３ａ、２０ａに、長手方向に沿って設けられたシール材（不図示）により間隙がシールされている。
【００２１】
防虫部品３０は、図６に示すように、見込み方向の長さを変更可能に係合された２つの部材としての本体３２および係合体３４と、本体３２と係合体３４との間に介在された圧縮ばね３６と、本体３２に取り付けられた防虫板３８と、を有している。
【００２２】
本体３２は、ほぼ直方体状の中空体であり、４つの側面のうちの１つの側面３２ａが開放されて外部と連通する側部開口３２ｂ、および、上面３２ｃが開放されて外部と連通する上部開口３２ｄを有している。
【００２３】
係合体３４は、直方体状のブロック材であり、本体３２の側部開口３２ｂから挿入されて挿抜方向に移動可能に形成されている。また、係合体３４には、本体３２に挿入された後に、係合体３４が容易に本体３２から抜け落ちることを防止するストッパー（不図示）が設けられていてもよい。
【００２４】
本体３２内には圧縮ばね３６が設けられており、本体３２に挿入される係合体３４と本体３２とが、係合体３４の移動方向にて対面する部位３２ｆ、３４ａ間に、係合体３４の移動により圧縮されるように配置されている。圧縮ばね３６は、本体３２の上部開口３２ｄから挿入される。そして、係合体３４が本体３２内に押し込まれ、圧縮ばね３６が圧縮された状態では、係合体３４の移動方向における本体３２および係合体３４の全長は、挿入および装着さされる外障子用レール８ｂと網戸用レール８ｃとの間の間隔より短くなり、圧縮が開放された状態では、外障子用レール８ｂと網戸用レール８ｃとの間の距離より長くなるように構成されている。
【００２５】
本実施形態の場合には、網戸用レール８ｃが、上枠８の上下方向の中央付近にて内側に突出されているため、外障子用レール８ｂと網戸用レール８ｃとの間隔が、各レール８ｂ、８ｃの上端側と下端側とで相違する。このため、係合体３４の移動方向における本体３２および係合体３４の全長は、圧縮ばね３６が圧縮された状態で、各レールの下端側の間隔より短く、圧縮が開放された状態で、各レール８ｂ、８ｃの上端側の間隔より長くなるように構成されている。
【００２６】
防虫板３８は、本体３２の側面であって、係合体３４の移動方向と交差する方向に向く２つの側面３２ｇに各々接着または溶着されている。防虫板３８は、防虫部品３０が備えられる、外障子１３と網戸２０の上方であって、外障子用レール８ｂと網戸用レール８ｃとの間に生じた連通空間Ｓの断面を、本体３２および係合体３４とともに閉塞するような形状に形成されている。本実施形態の連通空間Ｓは、図３に示すように外障子用レール８ｂと網戸用レール８ｃとの上端側が下端側より広く形成されている。そして、防虫部品３０は、外障子用レール８ｂと網戸用レール８ｃとの上端側の見込み方向に広い部分を本体３２および係合体３４にてほぼ閉塞し、外障子用レール８ｂと網戸用レール８ｃとの下端側の見込み方向に狭い部分を、主に防虫板３８にて閉塞するように構成されている。
【００２７】
また、防虫板３８は、連通空間Ｓが可及的に閉塞されるように、外障子１３および網戸２０の上端と僅かに接触する程度の位置に配置されている。このため、防虫板３８は、防虫板３８が外障子１３および網戸２０の上端と接触しても破損しないように弾性を有する板材で構成されるか、または、樹脂製の薄板で構成されている。
【００２８】
第１実施形態の防虫部品３０を取り付ける際には、内障子１２または外障子１３を開き、図７に示すように、上枠８の外障子用レール８ｂと網戸用レール８ｃとの間に装着される。このとき、網戸２０を見付け方向のいずれかの側に移動させた際に、見付け方向の中央側に位置する網戸２０の縦框２０ａと外障子１３の縦框１３ａとが対面する位置の上方に位置するように、防虫部品３０を近づける。また、係合体３４の移動方向が見込み方向に沿うように配置させる。
【００２９】
そして、係合体３４を本体３２の内方に向かって押圧し、本体３２および係合体３４の全長が外障子用レール８ｂと網戸用レール８ｃとの間隔より短くなるように圧縮ばね３６を圧縮した状態にて外障子用レール８ｂと網戸用レール８ｃとの間に防虫部品３０を挿入する。その後、防虫部品３０を外障子用レール８ｂと網戸用レール８ｃとの上端側に押し込むことにより、連通空間Ｓの見込み方向に広い部分に本体３２と係合体３４とが至り、圧縮されていた圧縮ばね３６の圧縮状態が緩和されて係合体３４が本体３２から突出する。このとき、圧縮ばね３６は、まだ圧縮されているので、圧縮ばね３６により本体３２と係合体３４とが見込み方向において互いに反対方向に離間され、本体３２が外障子用レール８ｂを、係合体３４が網戸用レール８ｃを各々押圧することにより、防虫部品３０が外障子用レール８ｂと網戸用レール８ｃとの間に保持される。
【００３０】
枠体５に外障子１３および網戸２０が既に取り付けられた既設のサッシ等に防虫部品３０を取り付ける際には、網戸２０が存在しない位置にて防虫部品３０を外障子用レール８ｂと網戸用レール８ｃとの間に配置させた後、防虫部品３０を見付け方向に移動させ適宜な位置配置する。
【００３１】
取り付けられた防虫部品３０は、外障子１３が閉められた状態では、図４に示すように、外障子１３の召合せ側の縦框１３ａと、閉められた網戸２０の見付け方向において中央側に位置する縦框２０ａとの上方に位置し、外障子１３が開かれた状態では、図５に示すように、外障子１３の戸先側の縦框１３ａと、閉められた網戸２０の見付け方向において中央側に位置する縦框２０ａとの上方に位置するように配置されている。
【００３２】
第１実施形態の防虫部品３０および防虫部品３０によれば、本体３２と係合体３４との間に介在された圧縮ばね３６が見込み方向に圧縮された状態で、外障子用レール８ｂと網戸用レール８ｃとの間に防虫部品３０が挿入され、挿入された後に圧縮ばね３６が解放させることにより、圧縮ばね３６の反発力にて防虫部品３０を外障子用レール８ｂと網戸用レール８ｃとの間に容易に装着させて保持させることが可能である。
【００３３】
また、外障子用レール８ｂと網戸用レール８ｃとを各々押圧する本体３２と係合体３４のうちの本体３２には、これら本体３２および係合体３４とともに、外障子用レール８ｂと網戸用レール８ｃとの間にて障子１２、１３と網戸２０との上方の空間と、外部とを遮断する遮断部材としての防虫板３８が備えられているので、外障子１３と網戸２０との上方から室内への虫の侵入を防止することが可能である。このため、外障子用レール８ｂと網戸用レール８ｃとの間に容易に装着可能な防虫部品３０を提供することが可能である。
【００３４】
＜第２実施形態＞
次に本発明の第２実施形態にかかる防虫部品について説明する。第１実施形態の防虫部品３０は、本体３２と係合体３４との間に圧縮ばねが介在されていたが、第２実施形態の防虫部品は、２つの部材のうちの一方の部材が有する弾性変形可能な弾性部が他方の部材に押圧されて圧縮されることにより、外障子用レール８ｂと網戸用レール８ｃとを各々押圧する。以下、上記実施形態と同一構成部分に同一符号を付して重複する説明を省略して述べる。
【００３５】
図８に示すように、第２実施形態の防虫部品５０は、本体５２と係合体５４とで構成されている。
【００３６】
第２実施形態の係合体５４は、互いに間隔を隔てて配置された薄板でなる２枚の防虫板５４ａが、端部同士を連結する連結部５４ｂにて接合され、断面形状がほぼＵ字状をなす樹脂製の部材である。係合体５４は、Ｕ字状の開放された側が下方に向けられて、防虫板５４ａに沿う方向にスライド可能に係合される。また、連結部５４ｂからは、スライド方向における一方の端部からスライド方向と交差する方向の両側に、外方に向かって突出され、本体５２の後述する保持部５２ｄに保持される保持突部５４ｄが形成されている。保持突部は、上下方向の肉厚に対するほぼ半分にて上下２段に形成され、下段側は面積が大きくスライドする際にガイドされるスライド突部５４ｅをなし、上段側は面積が小さくスライドした際にストッパとなる係止突部５４ｆをなしている。
【００３７】
第２実施形態の防虫板５４ａには、樹脂製の薄板を用い、剛性を低くするために、虫が通過できない程度の極狭いスリット５４ｃが縦方向に設けられている。
【００３８】
第２実施形態の本体５２は、見込み方向にスライドされる係合体５４がスライドする際にガイドとなるガイド面５２ａを有する基部５２ｂと、基部５２ｂにおいてスライド方向と交差する方向の両端部にスライド方向に沿って各々立設された縁部５２ｃと、２つの縁部５２ｃのスライド方向における一方の端から各々内側に向かって突出された、係合体５４の保持部５２ｄと、２つの縁部５２ｃのスライド方向における他方の端同士を繋ぎ、円弧状をなしてスライド方向に撓んで弾性変形する弾性部５２ｅとを有している。
【００３９】
２つの縁部５２ｃから各々内側に向かって突出された保持部５２ｄは、基部５２ｂが有するガイド面５２ａと上下方向に間隔を隔てて形成された板状の部位であり、保持部５２ｄとガイド面５２ａとの間にて係合体５４のスライド突部５４ｅがガイドされつつ係合体５４がスライドする。２つの保持部５２ｄにはそれぞれ、先端側であって弾性部５２ｅ側の縁が切り欠かれた凹部５２ｆが形成されており、係合体５４の係止突部５４ｆが凹部５２ｆに入り込むと、弾性部５２ｅが変形しない状態で係合体５４に接触するように構成されている。
【００４０】
図８に示すように本体５２に係合された係合体５４は、本体５２と係合体５４とのスライド方向における全長が短くなるように、係合体５４に対し本体５２が押圧されることにより弾性部５２ｅが撓み変形して、反発力が発生する。
【００４１】
そして、第２実施形態の防虫部品５０は、弾性部５２ｅが変形しない状態にて、本体５２と係合体５４とのスライド方向における全長が、外障子用レール８ｂと網戸用レール８ｃとの間隔より長くなり、係合体５４に対し本体５２が押圧されると、弾性部５２ｅが撓み変形して外障子用レール８ｂと網戸用レール８ｃとの間隔より短くなるように形成されている。
【００４２】
第２実施形態の防虫部品５０によれば、本体５２が有する弾性部５２ｅの反発力により防虫部品５０を外障子用レール８ｂと網戸用レール８ｃとの間に保持させることが可能である。このため、弾性部５２ｅを圧縮して外障子用レール８ｂと網戸用レール８ｃとの間に挿入し、挿入後に圧縮状態から解放することにより、防虫部品５０を外障子用レール８ｂと網戸用レール８ｃとの間に容易に装着することが可能である。
【００４３】
＜第３実施形態＞
次に、弾性部を備えた防虫部品の他の実施形態（第３実施形態）について説明する。第３実施形態の防虫部品６０も、本体６２と係合体６７とから構成されている。
【００４４】
第３実施形態の本体６２は、図９に示すように、上下方向に貫通して外形の平面形状がほぼ長方形をなし、長方形の長手方向をほぼ１：２の割合で２つの領域に分ける仕切壁部を有する樹脂製の部材である。２つの領域のうち狭い方の領域を形成する外壁部６３ａおよび仕切壁部６３ｂは、比較的厚肉に形成されて高い剛性を有する高剛性部６３であり、広い方の領域を形成する外壁部６４ａは、比較的薄肉に形成されて低い剛性を有する低剛性部６４である。
【００４５】
そして、本体６２は、長手方向において圧縮されると低剛性部６４の弾性部としての互いに相対向する薄肉の側壁部６４ｂが撓み変形して、反発力が発生する。ここで、本体６２の長手方向における全長は、外障子用レール８ｂと網戸用レール８ｃとの間隔より僅かに長く形成されており、単体にて外障子用レール８ｂと網戸用レール８ｃとの間に挿入された際に、薄肉の側壁部６４ｂの反発力にて外障子用レール８ｂと網戸用レール８ｃとの間に保持されるように形成されている。
【００４６】
第３実施形態の係合体６７は、互いに間隔を隔てて配置された薄板でなる２枚の防虫板６７ａの上部側が連結部６７ｂにて連結された樹脂製の部材である。係合体６７は、連結部６７ｂ側から、本体の低剛性部６４の内側に嵌合され、連結部６７ｂに設けられた爪部６７ｃが、本体６２の仕切壁部６３ｂに設けられた開口６３ｃに係合して本体６２に固定される。
【００４７】
そして、第３実施形態の防虫部品６０は、まず、本体６２を圧縮し、低剛性部６４の相対向する薄肉の側壁部６４ｂを撓ませることにより、長手方向の長さを短くして外障子用レール８ｂと網戸用レール８ｃとの間に挿入し、挿入後に圧縮状態から解放することにより、本体６２を外障子用レール８ｂと網戸用レール８ｃ間に装着される。このとき、低剛性部６４の相対向する薄肉の側壁部６４ｂは僅かに撓んだ状態が維持されており、外障子用レール８ｂと網戸用レール８ｃとが押圧された状態にて本体６２が保持される。
【００４８】
次に、図１０に示すように、係合体６７を、連結部６７ｂを上方に向け防虫板６７ａが見込み方向に沿うようにして、本体６２の下方から低剛性部６４の内側に挿入し、爪部６７ｃを本体６２の開口６３ｃに係合させて固定する。このとき、係合体６７の連結部６７ｂの見込み方向における端面６７ｄが、仕切壁部６３ｂおよび仕切壁部６３ｂと対向する外壁部６４ｃに当接されることにより、薄肉の側壁部６４ｂの撓み変形が規制される。このため、係合体６７が本体６２に装着されることにより防虫部品６０が外障子用レール８ｂと網戸用レール８ｃとの間に保持された状態が維持される。
【００４９】
第３実施形態の防虫部品６０によれば、本体６２が有する薄肉の側壁部６４ｂが撓み変形することにより本体６２を外障子用レール８ｂと網戸用レール８ｃとの間に保持させ、本体６２に防虫板６７ａを有する係合体６７を装着することにより、防虫部品６０を外障子用レール８ｂと網戸用レール８ｃとの間に容易に保持させることが可能である。
【００５０】
また、第２および第３実施形態の防虫部品５０、６０によれば、弾性部５２ｅまたは薄肉の側壁部６４ｂが本体５２、６２に設けられているので、外障子用レール８ｂと網戸用レール８ｃに押圧力を作用させるための弾性部材を別途用いることなく防虫部品５０、６０を本体５２、６２と係合体５４、６７で構成することが可能である。このため、部品点数が少なく、簡単な構成の防虫部品５０、６０を実現することが可能である。
【００５１】
＜第４実施形態＞
第４実施形態の防虫部品７０は、図１１に示すように、本体７２と、本体７２に取り付けられた防虫板７３と、本体７２に対しスライド自在に設けられた係合体７４と、を有している。
【００５２】
第４実施形態の本体７２は、中空に形成されたほぼ直方体状の部材であり、４つの側面のうち１つの側面７２ａに外部と連通する開口７２ｂが形成されている。本体７２は、防虫部品７０として装着される際に、開口７２ｂが網戸用レール８ｃに向かうように配置され、下面７２ｃには見込み方向に沿って長孔７２ｄが形成されている。そして、見付け方向の両側面７２ｅには、樹脂製で薄板状の防虫板７３が固定されている。
【００５３】
第４実施形態の係合体７４は、本体７２に開口７２ｂから挿入され、本体７２に対し挿抜方向にスライドすることにより本体７２からの突出量が変化するように構成されている。また、本体７２の長孔７２ｄを貫通するねじ７６が螺合されており、ねじ７６を緩めることにより係合体７４を本体７２に対しスライドさせることが可能となり、締め込むことにより係合体７４を本体７２から突出させた状態にて本体７２に固定することが可能である。
【００５４】
そして、第４実施形態の防虫部品７０は、係合体７４を本体７２に固定しているねじ７６を緩め、係合体７４を本体７２側にスライドさせた状態、すなわち、防虫部品７０の見込み方向における長さが短くなる方向に係合体７４をスライドさせた状態にて外障子用レール８ｂと網戸用レール８ｃとの間に挿入する。その後、係合体７４を網戸用レール８ｃ側に係合体７４をスライドさせ、本体７２と係合体７４とで外障子用レール８ｂと網戸用レール８ｃとを各々押圧させ、ねじ７６を締め込むことにより、係合体７４が本体７２に固定される。このとき、外障子用レール８ｂと網戸用レール８ｃとが本体７２と係合体７４とで押圧された状態が維持されて防虫部品７０が外障子用レール８ｂと網戸用レール８ｃとの間に保持される。
【００５５】
第４実施形態の防虫部品７０によれば、係合体７４は、本体７２に対しスライド自在に係合されているので、係合体７４をスライドさせて見込み方向の長さを変更し、容易に外障子用レール８ｂと網戸用レール８ｃとの間に装着することが可能である。
【００５６】
＜第５実施形態＞
第４実施形態の防虫部品７０は、係合体７４をスライドさせた後に本体７２にねじ７６にて固定する形態であったが、第５実施形態の防虫部品８０は、ねじ８６は本体８２に螺合されており、ねじ８６を回転させることにより係合体８４が本体８２から突出する形態である。
【００５７】
図１２に示すように、第５実施形態の防虫部品８０も、本体８２と、本体８２に取り付けられた防虫板８３と、本体８２に対しスライド自在に設けられた係合体８４と、を有している。
【００５８】
第５実施形態の本体８２は、中空に形成されたほぼ直方体状の部材であり、４つの側面のうち１つの側面８２ａに外部と連通する開口８２ｂが形成されている。本体８２は、防虫部品８０として装着される際に、開口８２ｂが網戸用レール８ｃに向かうように配置され、下面８２ｃには下方からねじ８６が螺合されている。
【００５９】
第５実施形態の係合体８４も、本体８２に開口８２ｂから挿入され、本体８２に対し挿抜方向にスライドすることにより本体８２からの突出量が変化するように構成されている。そして、係合体８４の下面８４ａには、本体８２に挿入される側のほぼ半分に、網戸用レール８ｃ側から外障子用レール８ｂ側に向かって、本体８２との間隔が広がるように構成された傾斜部８４ｂが形成されている。そして、この傾斜部８４ｂに本体８２に螺合されたねじ８６の先端が当接されるように構成されている。
【００６０】
そして、第５実施形態の防虫部品８０は、本体８２に螺号されているねじ８６を緩め、係合体８４をスライドさせて本体８２内に十分挿入された状態で外障子用レール８ｂと網戸用レール８ｃとの間に挿入される。このとき、ねじ８６の先端は係合体８４の傾斜部８４ｂと対向するか、または傾斜部８４ｂにおいて係合体８４の中央側に当接されている。その後、ねじ８６を回転させてねじ８６の先端を本体８２内にて上方に進入させる。このとき、係合体８４の傾斜部８４ｂがねじ８６の先端に押圧されることにより、係合体８４がスライドして本体８２からの突出量が増大する。係合体８４の本体８２からの突出量を増大させ続けることにより、外障子用レール８ｂと網戸用レール８ｃとが本体８２と係合体８４とで押圧された状態となり、防虫部品８０が外障子用レール８ｂと網戸用レール８ｃとの間に保持される。
【００６１】
第５実施形態の防虫部品８０によれば、第４実施形態の防虫部品７０と同様の作用効果に加えて、さらにねじ８６を回転させるという簡単な操作により、係合体８４を本体８２に対してスライドさせて、容易に外障子用レール８ｂと網戸用レール８ｃとの間に装着することが可能である。
【００６２】
上記実施形態においては、防虫板３８、５４ａ、６７ａ、７３、８３を防虫部品３０、５０、６０、７０、８０における見付け方向の両側に備えた例について説明したが、これに限るものではなく、防虫板は、見付け方向の片側のみに設けられていたり、３枚以上設けられていてもよい。
【００６３】
また、上記実施形態においては、引き違いの障子を備えた建具について説明したが、これに限るものではなく、例えば、片引きの障子を備えた建具であっても構わない。
【００６４】
上記実施形態の説明では、主に防虫部品３０、５０、６０、７０、８０について説明したが、第１〜第５実施形態として示した防虫部品３０、５０、６０、７０、８０を備え、外障子用レール８ｂと網戸用レール８ｃとの間に容易に装着可能な防虫部品３０、５０、６０、７０、８０を備えた建具１０も実現可能である。
【００６５】
上記形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【図面の簡単な説明】
【００６６】
【図１】本実施形態に係る建具を室外側から見た図である。
【図２】防虫部品の装着位置を示す斜視図である。
【図３】建具上部の縦断面図である。
【図４】内障子を開いた状態を示す図である。
【図５】外障子を開いた状態を示す図である。
【図６】第１実施形態の防虫部品を示す斜視図である。
【図７】第１実施形態の防虫部品の取り付け方法を説明するための図である。
【図８】第２実施形態の防虫部品を示す斜視図である。
【図９】第３実施形態の防虫部品を示す斜視図である。
【図１０】第３実施形態の防虫部品の取り付け方法を説明するための図である。
【図１１】第４実施形態の防虫部品を示す斜視図である。
【図１２】第５実施形態の防虫部品を示す斜視図である。
【符号の説明】
【００６７】
１０  建具、８ｂ  外障子用レール、８ｃ  網戸用レール、
１２  内障子、１３  外障子、
２０  網戸、３０  防虫部品、３２  本体、３４  係合体、
３６  圧縮ばね、３８  防虫板、５２ｅ  弾性部
【図１】
2008127955.tif 000003
【図２】
2008127955.tif 000004
【図３】
2008127955.tif 000005
【図４】
2008127955.tif 000006
【図５】
2008127955.tif 000007
【図６】
2008127955.tif 000008
【図７】
2008127955.tif 000009
【図８】
2008127955.tif 000010
【図９】
2008127955.tif 000011
【図１０】
2008127955.tif 000012
【図１１】
2008127955.tif 000013
【図１２】
2008127955.tif 000014